(57)【要約】【課題】大型化することなく、送風量を向上できるシロッコファンおよび該シロッコファンを用いた除湿機を提供する。【解決手段】円環状をなすベース３と、該ベース３と直交する方向に突出する複数の第１羽根部４と、ベース３の中心に位置する駆動手段への取付部５と、ベース３と取付部５とを連結するとともに第１羽根部４で囲まれた内部に向けて送風するように傾斜した第２羽根部６とからなる羽根車２を備えている。【選択図】  図１
2004271034.tif 000002
【特許請求の範囲】
【請求項１】
円環状をなすベースと、該ベースと直交する方向に突出する複数の第１羽根部と、前記ベースの中心に位置する駆動手段への取付部と、前記ベースと取付部とを連結するとともに前記第１羽根部で囲まれた内部に向けて送風するように傾斜した第２羽根部とからなる羽根車を備えたことを特徴とするシロッコファン。
【請求項２】
前記第２羽根部における駆動手段による回転方向後側にリブを突設したことを特徴とする請求項１に記載のシロッコファン。
【請求項３】
内部を除湿通路と再生通路とに区画したケーシングと、
前記両通路に跨って駆動手段により回転可能に配設した除湿ロータと、
前記除湿通路内に配設し、室内の空気を吸引して前記除湿ロータによって除湿した乾燥空気を室内に循環供給する室内空気循環ファンと、
前記再生通路内に配設し、再生空気を循環させる再生空気循環ファンと、
前記再生通路内に配設し、前記再生空気および除湿ロータを加熱する加熱ヒータと、
前記除湿通路内に配設するとともに前記再生通路の一部を構成し、内部に流通する再生空気を外部に流通する空気により冷却して含有した水分を取り除く熱交換器と、
前記熱交換器により取り除いた水分を貯留するタンクと
を備えた除湿機において、
前記室内空気循環ファンは、円環状をなすベースと、該ベースと直交する方向に突出する複数の第１羽根部と、前記ベースの中心に位置する駆動手段への取付部と、前記ベースと取付部とを連結するとともに前記第１羽根部で囲まれた内部に向けて送風するように傾斜した第２羽根部とからなる羽根車を備えたシロッコファンからなることを特徴とする除湿機。
【発明の詳細な説明】
【０００１】
【発明の属する技術分野】
本発明は、シロッコファンおよび該シロッコファンを用いた除湿機に関するものである。
【０００２】
【従来の技術】
本発明の除湿機に関連する先行技術文献情報としては次のものがある。
【０００３】
【特許文献１】
特開２００１−２５９３５２号公報
【０００４】
この特許文献１の除湿機は、ケーシング内が除湿通路と再生通路とに区画され、これら通路に跨って円板状の除湿ロータが回転可能に配設されている。
【０００５】
前記除湿通路には、室内の空気を吸気口から吸引し、排気口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、ケーシング内には、前記再生通路の一部を構成する熱交換器が配設されている。
【０００６】
そして、前記除湿通路では、吸引した室内の空気を前記除湿ロータを通過することにより、吸引した空気に含有した水分が吸着され、乾燥した空気として排気口から室内に循環供給される。
【０００７】
また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分は取り除かれ、結露した水はタンクに回収される。
【０００８】
前記室内空気循環ファンは、駆動手段であるモータを取り付けた円板形状のベースを備え、該ベースの外周部に所定間隔をもって羽根部を並設したシロッコファンにより構成されている。
【０００９】
【発明が解決しようとする課題】
しかしながら、前記シロッコファンを用いた除湿機は、その除湿効率を向上するために送風量を大きくするには、許容能力が大きい大型のシロッコファンを使用する必要がある。その結果、機器全体が大型化するうえ、コスト高になるという問題がある。
【００１０】
そこで、本発明では、大型化することなく、送風量を向上できるシロッコファンおよび該シロッコファンを用いた除湿機を提供することを課題とするものである。
【００１１】
【課題を解決するための手段】
前記課題を解決するため、本発明のシロッコファンは、円環状をなすベースと、該ベースと直交する方向に突出する複数の第１羽根部と、前記ベースの中心に位置する駆動手段への取付部と、前記ベースと取付部とを連結するとともに前記第１羽根部で囲まれた内部に向けて送風するように傾斜した第２羽根部とからなる羽根車を備えた構成としている。
【００１２】
このシロッコファンによれば、駆動手段によって回転されると、第１羽根部によってその内部の空間に位置する空気を直径方向外向きに送出する。これにより、主に広く開口した下端から空気が第１羽根部により囲まれた空間内に流入する。また、第２羽根部によってベースの外側に位置する空気を掻き切ることにより、その外部の空気を前記第１羽根部で囲まれた内部に向けて送風することができる。そのため、第１羽根部の突出方向の両側から空気を内部に流入させ、その空気を水平方向に送出することができる。その結果、形状が大型化することなく送風量を大きくすることができる。また、大容量のモータも使用する必要がないため、コスト高になることもない。
【００１３】
このシロッコファンでは、前記第２羽根部における駆動手段による回転方向後側にリブを突設することが好ましい。このようにすれば、前記リブにより外側に位置する空気が一層掻き切られるため、その外部の空気を前記第１羽根部で囲まれた内部に向けて送風する量を増大することができる。
【００１４】
また、前記シロッコファンを用いた除湿機は、内部を除湿通路と再生通路とに区画したケーシングと、前記両通路に跨って駆動手段により回転可能に配設した除湿ロータと、前記除湿通路内に配設し、室内の空気を吸引して前記除湿ロータによって除湿した乾燥空気を室内に循環供給する室内空気循環ファンと、前記再生通路内に配設し、再生空気を循環させる再生空気循環ファンと、前記再生通路内に配設し、前記再生空気および除湿ロータを加熱する加熱ヒータと、前記除湿通路内に配設するとともに前記再生通路の一部を構成し、内部に流通する再生空気を外部に流通する空気により冷却して含有した水分を取り除く熱交換器と、前記熱交換器により取り除いた水分を貯留するタンクとを備えた除湿機において、前記室内空気循環ファンは、円環状をなすベースと、該ベースと直交する方向に突出する複数の第１羽根部と、前記ベースの中心に位置する駆動手段への取付部と、前記ベースと取付部とを連結するとともに前記第１羽根部で囲まれた内部に向けて送風するように傾斜した第２羽根部とからなる羽根車を備えたシロッコファンからなるものである。
【００１５】
このように構成した除湿機によれば、第１羽根部の両側から空気を吸引可能として送風量を増大したシロッコファンを用いているため、機器全体の形状が大型化したり、コストアップすることなく、確実に除湿効率を向上できる。
【００１６】
【発明の実施の形態】
以下、本発明の実施の形態を図面に従って説明する。
図１は本発明の実施形態に係るシロッコファンを示し、図２から図７は本発明のシロッコファンを用いた除湿機を示す。
【００１７】
図１（Ａ）に示すように、前記シロッコファンは、駆動手段であるモータ１と、該モータ１により図中時計回りに回転される羽根車２とからなる。また、この羽根車２は、円環状をなすベース３と、該ベース３と直交する方向に突出する複数の第１羽根部４と、前記ベース３の中心に位置するモータ１への取付部５と、前記ベース３と取付部５とを連結する第２羽根部６とからなる。また、第２羽根部６の下端にはリング状の連結部７が設けられている。
【００１８】
前記第１羽根部４は、図１（Ｂ）に示すように、回転方向に向けて水平方向に円弧状に湾曲した形状をなす。また、前記ベース３から下広がりに傾斜するとともに、上側に向けて次第に肉厚を厚くすることにより、若干螺旋状に湾曲した形状をなす。前記第２羽根部６は、図１（Ｃ）に示すように、回転方向に沿って上向きに傾斜さした形状をなす。また、この第２羽根部６には、回転方向後側に上向きに突出するリブ６ａが設けられている。
【００１９】
このように構成したシロッコファンは、前記モータ１によって回転されると、第１羽根部によってその内部の空間に位置する空気を直径方向外向きに送出する。これにより、主に広く開口した下端から空気が第１羽根部４により囲まれた空間内に流入する。また、第２羽根部６および該第２羽根部６に設けたリブ６ａによってベース３の外側に位置する空気を掻き切ることにより、その外部の空気を前記第１羽根部４で囲まれた内部に向けて送風する。
【００２０】
そのため、図１における第１羽根部４の突出方向の両側（上下両側）から内部に流入させ、その空気を水平方向に送出することができる。そのため、形状が大型化することなく送風量を大きくすることができる。また、許容能力が大きいモータ１も使用する必要がないため、コスト高になることもない。
【００２１】
次に、前記構成のシロッコファンを搭載する除湿機について説明する。図２に示すように、この除湿機は、大略、矩形状をなすケーシング１０の内部を除湿通路１１と再生通路１２とに区画し、その内部に、除湿ロータ３３と、室内空気循環ファン４４Ａ，４４Ｂと、再生空気循環ファン４５と、加熱ヒータ４７と、熱交換器とを水平に配設するとともに、下部にタンク５７を配設したものである。
【００２２】
前記ケーシング１０は、図３（Ａ），（Ｂ）に示すように、基枠１３の前後に前カバー１４と後カバー１５とを配設したものである。前記前カバー１４の上部にはルーバー１６を備えた排気口１７が形成されている。前記後カバー１５には、垂直方向に延びる複数のスリットからなる吸気口１８が形成されている。また、ケーシング１０には、前記基枠１３にカバー１４，１５を組み付けることにより、その下部にタンク収容室１９が形成される。
【００２３】
前記基枠１３の前面側には、図４に示すように、一対のインボリュート通路を構成する壁２０ａ，２０ｂを備えるとともに開口された室内空気循環ファン配設部２０Ａ，２０Ｂと、再生空気循環ファン配設部２１と、該再生空気循環ファン配設部２１から後述する加熱ヒータ配設部２６にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁部２４が設けられている。さらに、前記室内空気循環ファン配設部２０Ａ，２０Ｂの間には、除湿通路１１の一部を構成する開口部２５が設けられている。
【００２４】
また、基枠１３の後面側には、図５および図６に示すように、前側に加熱ヒータ配設部２６と、除湿ロータ配設部２７と、前記再生空気循環ファン配設部２１に連通する円筒状のダクト２８とが設けられている。前記加熱ヒータ配設部２６は、前記ダクト部材と連通している。また、この加熱ヒータ配設部２６は、除湿動作時に常時回転する第１の室内空気循環ファン４４Ａを配設する配設部２０Ａに対して、前記除湿ロータ３３の回転方向後方に位置する近傍に配置されている。除湿ロータ配設部２７は、図６に示すように、後述する除湿ロータ３３の保持部材３６の下端縁より肉厚の周壁２９の上面に、ガイド用の凹溝３０を設けたものである。さらに、この基枠１３の後面側には、除湿ロータ３３の外周縁に位置するように、該除湿ロータ３３の駆動手段である駆動モータ３４が配設される。さらにまた、この基枠１３の後面側下端には、図示しない制御基板に電力を供給するためのコードリール３１を配設するためのコードリール配設部３２が設けられている。このコードリール配設部３２は、防水構造として４方がリブにより囲繞されている。
【００２５】
なお、前記再生通路１２は、再生空気循環ファン配設部２１、該配設部２１と連通したダクト部２２、該ダクト部２２と連通した加熱ヒータ配設部２６、該配設部２６と対応するように除湿ロータ３３の反対側に配設したロータカバー、および、該ロータカバーに接続するとともに前記再生空気循環ファン配設部２１に接続する熱交換器４９により構成される。そして、この区画された再生通路１２および前記タンク収容室１９を除くケーシング１０内が、前記除湿ロータ３３を介して吸気口１８と排気口１７とを連通させる除湿通路１１を構成する。
【００２６】
前記除湿ロータ３３は、その約３／４が除湿通路１１内に位置し、約１／４が再生通路１２内に位置するように、前記両通路１１，１２に跨って駆動モータ３４により回転可能に配設した円板状のものである。具体的には、この除湿ロータ３３は、図５および図６に示すように、ゼオライトまたはシリカゲルを結合させたメッシュ状のセラミックハニカムからなるロータ本体３５を、樹脂製の保持部材３６によって保持させたものである。
【００２７】
前記保持部材３６は、ロータ本体３５の中央に位置する軸受部３７と、ロータ本体３５の外周部に位置する外壁部３８と、これらを加熱ヒータ４７と反対に位置する熱交換器４９の側で連結する連結枠３９とからなる。前記外壁部３８には、外方に突出するフランジ部４０が設けられるとともに、駆動モータ３４の出力軸に配設した歯車３４ａに噛み合う複数の凸状歯４１が設けられている。
【００２８】
なお、本実施形態では、前記除湿ロータ３３は、除湿動作中には、約２分で１回転するように、前記駆動モータ３４の回転数および歯車３４ａと凸状歯４１とのギア比が設定されている。また、前記除湿ロータ３３において、加熱ヒータ４７を収容するヒータケース４８との対応位置に反対面には、ローターカバー４２が配設されている。このローターカバー４２には、ヒータケース４８と同一形状の接続部４３が設けられ、この接続部４３に前記熱交換器４９の流入口５３が接続される。
【００２９】
前記室内空気循環ファン４４Ａ，４４Ｂは、前記シロッコファンで構成される。これにより、図２に実線の矢印で示すように、後カバー１５の吸気口１８から室内の空気を吸引し、前記除湿ロータ３３によって除湿した乾燥空気を前カバー１４の排気口１７から室内に循環供給するものである。
【００３０】
また、本実施形態では、第１の室内空気循環ファン４４Ａは前記室内空気循環ファン配設部２０Ａに配設され、そのモータ１Ａは、回転が早い「強」運転と、回転が遅い「弱」運転とが可能な変速機能を有するものを用いている。また、第２の室内空気循環ファン４４Ｂは前記室内空気循環ファン配設部２０Ｂに配設され、そのモータ１Ｂは、回転が早い「強」運転のみが可能なものを用いている。
【００３１】
ここで、従来の除湿機の室内空気循環ファンは、本実施形態における個々の室内空気循環ファン４４Ａ，４４Ｂと比較して形状は大きいが、インボリュート通路を形成する必要性により、除湿ロータ３３より非常に小さく、この除湿ロータ３３に対して重畳する面積の比率は約４１％である。そのため、従来の室内空気循環ファンは、除湿ロータ３３に対する通気面積を確保するために、該除湿ロータ３３との間に所定スペースを設ける必要があった。
【００３２】
これに対して本実施形態の室内空気循環ファン４４Ａ，４４Ｂは、従来の室内空気循環ファンより小さいが、除湿ロータ３３に対して重畳する面積の比率は約６８％である。また、基枠１３には、前記室内空気循環ファン配設部２０Ａ，２０Ｂの間には、除湿通路１１の一部を構成する開口部２５を設けている。そのため、前記室内空気循環ファン４４Ａ，４４Ｂと除湿ロータ３３との間には、所定スペースを設けなくても除湿ロータ３３に対する通気面積を十分に確保できる。そのため、従来の除湿機と比較して小型化することができる。
【００３３】
図４に示すように、前記室内空気循環ファン４４Ａ，４４Ｂの前側にはファンカバー７０が装着されている。このファンカバー７０は、室内空気循環ファン配設部２０Ａ，２０Ｂの上部を閉塞する形状をなし、各室内空気循環ファン４４Ａ，４４Ｂと対応する位置には通気孔７１が設けられるとともに、前カバー１４との間に所定の隙間を形成するためのリブ７２が前記通気孔７１に向けて延びるように設けられている。また、このファンカバー７０における第１の室内空気循環ファン４４Ａの配設部２０Ａを閉塞する側には、インボリュート通路内に位置するように配設するマイナスイオン発生装置７３の装着部７４が設けられている。この装着部７４には、前記マイナスイオン発生装置７３が排気口１７から直接的に見えないように閉塞部７４ａが設けられている。
【００３４】
前記再生空気循環ファン４５は、前記再生通路１２内において、前記再生空気循環ファン配設部２１に配設され、モータ４６の駆動により回転する。これにより、図２に破線の矢印で示すように、再生通路１２内の再生空気を、ダクト部２２を介して加熱ヒータ４７のヒータケース４８内に供給し、除湿ロータ３３、および、熱交換器４９の順で循環させるものである。
【００３５】
前記加熱ヒータ４７は、前記除湿ロータ３３の前方に配設され、図示しない電源回路からの供給電力により発熱し、再生空気および除湿ロータ３３を加熱するものである。この加熱ヒータ４７は、連続した１巻きのコイルからなり、前記再生通路１２を構成するヒータケース４８を介して前記加熱ヒータ配設部２６に配設される。
【００３６】
前記熱交換器４９は、前記除湿通路１１内において、前記除湿ロータ３３の背面側に配設されるとともに前記再生通路１２の一部を構成するもので、図７（Ａ），（Ｂ）に示すように、真空成形または圧空成形により形成した一対のパネル５０Ａ，５０Ｂを溶着した樹脂製のものである。各パネル５０Ａ，５０Ｂは、互いに対称に位置する複数の仕切用凹条５１Ａ，５１Ｂを備え、これら仕切用凹条５１Ａ，５１Ｂを除く部位により再生空気を通過させる複数の流路５２が形成されている。また、一方のパネル５０Ａには、加熱ヒータ４７を収容するヒータケース４８の形状と対応する扇形状の流入口５３と、基枠１３のダクト２８と対応する円形状の流出口５４と、結露水をタンク５７に排水するためのドレン部５５とが設けられている。さらに、貼り合わされた仕切用凹条５１Ａ，５１Ｂの部位には、空気を流通させるための通孔５６が設けられている。
【００３７】
前記タンク５７は、図３（Ｂ）および図５に示すように、上面開口の箱体形状をなし、その内部にはフロート部材５８が回動可能に配設されている。このフロート部材５８は、タンク５７内の水位が上昇すると、下部のフロート部５８ａが浮き上がることにより全体が回動する。
【００３８】
なお、前記タンク収容室１９には、上端開口の箱体形状をなすサブタンク５９が配設されている。このサブタンク５９には、水平方向に移動可能な弁動作部６０が配設され、この弁動作部６０に弁６１が配設されている。この弁動作部６０は、スプリングによって常閉状態を維持するように構成されており、タンク５７を装着することにより前記フロート部材５８の上端の押圧部５８ｂが当接して開弁する。そして、タンク５７内の水位が上昇してフロート部材５８が回動することにより、押圧部５８ｂによる弁動作部６０の押圧が解除され、閉弁するように構成している。また、前記弁動作部６０には、分岐したマイクロスイッチ動作部６０ａが設けられ、押圧部５８ｂによる弁動作部６０の押圧が解除されると、マイクロスイッチ６２を介して満水状態を検出できるようにしている。
【００３９】
前記除湿機に実装した図示しない制御手段は、電源スイッチがオン状態になり、ケーシング１０の収容室にタンク５７がセットされ、かつ、満水状態でない場合に、前記除湿ロータ３３の駆動モータ３４、室内空気循環ファン４４Ａ，４４Ｂのモータ１Ａ，１Ｂ、再生空気循環ファン４５のモータ４６、および、加熱ヒータ４７に対して電力を通電して除湿動作を開始する。また、タンク５７内が満水状態になると、前記各構成部品への通電を停止して除湿動作を停止するものである。
【００４０】
また、ユーザが図示しない操作パネルを操作することにより「強」運転を選択すると、前記室内空気循環ファン４４Ａを「強」運転させるとともに、室内空気循環ファン４４Ｂを「強」運転させる。また、ユーザが「標準」運転を選択すると、前記室内空気循環ファン４４Ａを「弱」運転させるとともに、室内空気循環ファン４４Ｂを「強」運転させる。また、ユーザが「静音」運転を選択すると、前記室内空気循環ファン４４Ａを「弱」運転させるとともに、室内空気循環ファン４４Ｂを停止させる。
【００４１】
このように、本実施形態では、除湿動作時に常時回転する第１の室内空気循環ファン４４Ａを、前記加熱ヒータ４７に対して前記除湿ロータ３３の回転方向前方に配設している。そのため、除湿ロータ３３において、加熱ヒータ４７によって加熱した直後の冷えていない領域には、常に吸引した空気が流通される。その結果、除湿効率を向上することができる。また、常に回転する第１の室内空気循環ファン４４Ａの側にマイナスイオン発生装置７３を取り付けているため、乾燥空気とともに動作時には常にマイナスイオンを放出させることができる。
【００４２】
次に、前記除湿機による除湿動作について具体的に説明する。
まず、除湿通路１１では、前記室内空気循環ファン４４Ａ，４４Ｂの駆動により、後カバー１５の吸気口１８から室内の空気が吸引される。そして、その吸引された空気は、熱交換器４９の通孔５６を通過する際に再生空気との熱交換によって加熱され、この状態で、除湿ロータ３３を通過する際に、含有した水分が吸着される。これにより、乾燥した空気として前カバー１４の排気口１７から室内に循環供給される。
【００４３】
なお、基枠１３において、除湿ロータ３３を配設した後側から室内空気循環ファン４４Ａ，４４Ｂを配設した前側への乾燥空気が流入は、各室内空気循環ファン配設部２０Ａ，２０Ｂの開口と、その下部の開口部２５とから行われる。そして、各室内空気循環ファン配設部２０Ａ，２０Ｂの開口から流入した乾燥空気は、室内空気循環ファン４４Ａ，４４Ｂにおける広く開口した図６中下端から第１羽根部４により囲まれた空間内に流入する。また、開口部２５から流入した乾燥空気は、室内空気循環ファン４４Ａ，４４Ｂのベース３の外側に流入し、第２羽根部６およびリブ６ａによって掻き切られるようにして第１羽根部４で囲まれた内部に流入する。そして、この第１羽根部４で囲まれた内部の乾燥空気は、第１羽根部４によって直径方向外向きに送出され、壁２０ａ，２０ｂによって構成されたインボリュート通路の形状に従って排気口１７から室内に供給される。
【００４４】
このように、前記シロッコファンからなる室内空気循環ファン４４Ａ，４４Ｂは、第１羽根部の両側から空気を吸引可能として送風量を増大できるため、機器全体の形状が大型化したり、コストアップすることなく、確実に除湿効率を向上できる。
【００４５】
また、本発明の除湿機では、２つの室内空気循環ファン４４Ａ，４４Ｂを配設するため、個々の室内空気循環ファン４４Ａ，４４Ｂは１つの室内空気循環ファンを搭載する場合と比較して小さくすることができる。その結果、使用するモータ１Ａ，１Ｂの許容能力は小さいものでよい。そのため、機器全体が大型化することを抑制できるとともに、コスト高になることを抑制できる。また、２以上のインボリュート通路を構成する壁２０ａ，２０ｂを備えた配設部２０Ａ，２０Ｂを設けるため、その吹出角度の設計の自由度を広げることができる。
【００４６】
一方、再生通路１２では、再生空気循環ファン４５の駆動により、内部の再生空気がダクト部２２を通って加熱ヒータ４７を収容したヒータケース４８内に流入する。その後、その再生空気は、加熱ヒータ４７で加熱された後、除湿ロータ３３を通過する際に、該除湿ロータ３３が吸着した水分を吸着する。ついで、再生空気は、熱交換器４９に流入し、隔離された除湿通路１１を流通する室内の空気との温度差による熱交換で冷却され、含有した水分が結露する。これにより、再生空気は、乾燥状態として再生空気循環ファン４５により前記加熱ヒータ４７の側に再び供給される。また、結露した水は、熱交換器４９のドレン部５５からサブタンク５９を経てタンク５７に回収される。
【００４７】
なお、本発明のシロッコファンおよび該シロッコファンを用いた除湿機は、前記実施形態の構成に限定されるものではなく、種々の変更が可能である。
【００４８】
例えば、前記除湿機には、本発明のシロッコファンからなる室内空気循環ファン４４Ａ，４４Ｂを２つ搭載したが、従来と同様に１つのみとしてもよく、このようにしても従来と比較して送風量を増大できるため、除湿効率を向上できる。
【００４９】
【発明の効果】
以上の説明から明らかなように、本発明のシロッコファンでは、第１羽根部の突出方向の両側から空気を内部に流入させ、その空気を水平方向に送出することができるため、形状が大型化することなく送風量を大きくすることができる。また、許容能力が大きいモータも使用する必要がないため、コスト高になることもない。
【００５０】
また、このシロッコファンを室内空気循環ファンとして用いた除湿機では、そのファンの形状が大型化しないうえ、コストアップにならないため、機器全体の形状も大型化したり、コストアップすることなく、確実に除湿効率を向上できる。
【図面の簡単な説明】
【図１】（Ａ）は本発明のシロッコファンを示す斜視図、（Ｂ），（Ｃ）はそれぞれ（Ａ）の要部断面図である。
【図２】本発明の実施形態に係る除湿機を示す概略図である。
【図３】（Ａ），（Ｂ）は除湿機の具体的構成を示す断面図である。
【図４】基枠の前面側の構成を示す分解斜視図である。
【図５】除湿機の後面側の構成を示す断面図である。
【図６】基枠と除湿ロータとの関係を示す分解斜視図である。
【図７】（Ａ）は熱交換器の正面図、（Ｂ）は（Ａ）の要部拡大断面図である。
【符号の説明】
１Ａ，１Ｂ…モータ、２…羽根車、３…ベース、４…第１羽根部、５…取付部、６…第２羽根部、６ａ…リブ、７…連結部、１０…ケーシング、１１…除湿通路、１２…再生通路、３３…除湿ロータ、４４Ａ，４４Ｂ…室内空気循環ファン、４５…再生空気循環ファン、４９…熱交換器。
【図１】
2004271034.tif 000003
【図２】
2004271034.tif 000004
【図３】
2004271034.tif 000005
【図４】
2004271034.tif 000006
【図５】
2004271034.tif 000007
【図６】
2004271034.tif 000008
【図７】
2004271034.tif 000009